(57)【要約】      （修正有）【課題】見栄えを良好にすると共に、ブザーへの衝撃による損傷を防ぐことができる物品収納体を提供する。【解決手段】物品収納体Ａ’、Ａ”は、ブザー６と、このブザー６の駆動電源である電池と、オン、オフするスイッチ５と、このスイッチ５がオンしたときにブザー６の音を発するように制御するブザー制御回路７とを備えた履物Ａであって、ブザー６を取り付けるベース２０と、このベース２０は、アッパーに設けられた開口縁部３１とアッパーの裏に設けられた裏地３２との間に位置し、ベース２０に取り付けられ、ブザー６を覆い、外方に臨むように設けられたカバー３４とを設けたものである。【選択図】図１４
0003119112.tif 000002
【実用新案登録請求の範囲】
【請求項１】
ブザーと、
このブザーの駆動電源である電池と、
オン、オフするスイッチと、
このスイッチがオンしたときに前記ブザーの音を発するように制御するブザー制御回路とを備えた物品収納体であって、
前記ブザーを取り付けるベースと、
このベースは、前記物品収納体の本体の外表面に設けられた開口縁部と前記物品収納体の本体の裏に設けられた裏地との間に位置し、
前記ベースに取り付けられ、前記ブザーを覆い、外方に臨むように設けられたカバーと、
を設けたことを特徴とする物品収納体。
【請求項２】
ブザー制御回路及びブザー制御回路の電源部である電池を収納したブザー収納体と、
物品収納体の本体の内部に設けられ、前記ブザー収納体を収納する内部収納体と、
前記ブザー制御回路、前記電池及びブザーは、リード線、スイッチを介して接続され、
前記内部収納体の開口部は、裏地に着脱自在な蓋で覆われている
ことを特徴とする請求項１記載の物品収納体。
【考案の詳細な説明】
【技術分野】
【０００１】
本考案は、物品収納体に係り、特に、物品収納体にブザーを取り付けることに伴う物品収納体から突出する部位の量を減少させて、見栄えを良好にすると共に、ブザーへの衝撃による損傷を防ぐことができる物品収納体に関する。
【背景技術】
【０００２】
従来、使用者が危険等を感じたとき、ブザーの音を発する機能を備えた履物がある（例えば、特許文献１参照）。
これは、かかとの上部にブザーを、かかとの下部に前記ブザーの音をオン・オフするスイッチを設けた履物である。
しかしながら、上述した履物にあっては、かかとの上部にブザーが突出して設けられているため、突出した分、見栄えが良好でないと共に、他の部位との接触によってブザーが損傷を受け易いという問題点があり、これをランドセル、バッグ等の物品を収納する物品収納体に適用した場合も同様な問題点が生じる。
【特許文献１】実用新案登録第３１０３６３５号公報（図１）
【考案の開示】
【考案が解決しようとする課題】
【０００３】
本考案は、前記した問題点を除去するようにした物品収納体を提供することを目的としている。
【課題を解決するための手段】
【０００４】
前記した目的を達成するための請求項１記載の物品収納体は、ブザーと、このブザーの駆動電源である電池と、オン、オフするスイッチと、このスイッチがオンしたときに前記ブザーの音を発するように制御するブザー制御回路とを備えた物品収納体であって、前記ブザーを取り付けるベースと、このベースは、前記物品収納体の本体の外表面に設けられた開口縁部と前記物品収納体の本体の裏に設けられた裏地との間に位置し、前記ベースに取り付けられ、前記ブザーを覆い、外方に臨むように設けられたカバーとを設けたものである。
【０００５】
また、請求項２記載の物品収納体は、請求項１記載の物品収納体において、ブザー制御回路及びブザー制御回路の電源部である電池を収納したブザー収納体と、物品収納体の本体の内部に設けられ、前記ブザー収納体を収納する内部収納体と、前記ブザー制御回路、前記電池及びブザーは、リード線、スイッチを介して接続され、前記内部収納体の開口部は、裏地に着脱自在な蓋で覆われているものである。
【考案の効果】
【０００６】
請求項１記載の物品収納体によれば、ブザーを取り付けるベースを、物品収納体の本体の外表面に設けられた開口縁部と前記物品収納体の本体の裏に設けられた裏地との間に位置させたため、物品収納体にブザーを取り付けることに伴う物品収納体の本体の外表面から突出する部位の量を減少させて、見栄えを良好にすると共に、該突出する部位への衝突を防いで、ブザーへの衝撃による損傷を防ぐことができる。
【０００７】
また、請求項２記載の物品収納体によれば、上述した請求項１記載の考案の効果に加え、ブザー制御回路及びブザー制御回路の電源部である電池を収納したブザー収納体を収納する内部収納体を物品収納体の本体の内部に設け、前記内部収納体の開口部は、着脱自在な蓋で覆われているため、ブザー制御回路及びブザー制御回路の電源部である電池は、ブザー収納体及び内部収納体により保護され、電池を交換したい場合、蓋を開いた後、ブザー収納体にある電池を容易に交換することができる。
【考案を実施するための最良の形態】
【０００８】
本考案の一実施例の履物を図面を参照して説明する。
図１乃至図１０において、Ａは履物で、履物Ａは、概略的に、底１と、中敷き２と、アッパー（履物の底より上方の、足の甲部を覆う部分の総称）３とから構成されている。
なお、４は夜間の交通安全対策用として、夜間、車両のライトを反射する反射テープで、反射テープ４は、底１とアッパー３の境界部の全周と踵に、それぞれ縫製により取り付けられている。
【０００９】
この履物Ａは、図３に示すスイッチ５がオンしたときにブザー６の音を発するように制御するブザー制御回路７とを備えている。８は、ブザー６の駆動電源である電池である。
スイッチ５の一方の端子５ａは、ブザー制御回路７の一方の入力端子に、リード線１０を介して接続され、電池８の他方の端子５ｂは、電池８の一方の端子に、リード線９を介して接続されている。また、電池８の他方の端子は、ブザー制御回路７の他方の入力端子に接続され、ブザー６は、ブザー制御回路７の出力端子にリード線１１、１２を介して接続されている。スイッチ５がオンされると、ブザー制御回路７内の半導体スイッチ（図示せず）により、ブザー６に鳴動させる信号が発せられ、ブザー６が音を発するようになっている。
【００１０】
ブザー６は、図４乃至図６に示すように、ベース２０に取り付けられている。このベース２０は、図２、図７乃至図１０に示すように、アッパー３に設けられた開口縁部３１に接着剤により接着されると共に、この開口縁部３１とアッパー３の裏に設けられた裏地３２との間に位置している。
３３は、ベース２０の裏面の全体に亘って接着されたクッション部材で、このクッション部材３３のベース２０と反対側の面とアッパー３の裏に設けられた裏地１１とは接着剤により一体化されている。
また、ブザー６は、ベース２０に取り付けられたカバー３４により覆われている。カバー３４は、外方に臨むように設けられ、カバー３４の表面に開口部３４ａが設けられている。カバー３４のベース２０への取付は、例えば、ベース２０に設けられた穴２０ａにカバー３４の突部３４ｂを嵌合して行う。
【００１１】
カバー３４の外周には、回動するリング部材３５が設けられ、リング部材３５の裏面に突出部３５ａが設けられている。５ｂは一方の端子５ａに接離自在なスイッチ５の他方の端子で、ベース２０に取り付けられている。
従って、使用者が、危険を察知してリング部材３５を回動すれば、突出部３５ａが他方の端子５ｂに当接して、他方の端子５ｂを一方の端子５ａに接触させて、スイッチ５は、オンの状態となる（図６参照）。
その結果、ブザー制御回路７内の半導体スイッチ（図示せず）により、ブザー６に鳴動させる信号が発せられ、ブザー６が音を発し、周囲の人に危険を知らせる防犯効果のみならず地震等の災害時、ブザー６の音で、人の存在を知らせる防災救済対策効果をも図ることができる。また、夜間地震が起き、懐中電灯で履物Ａを探す際、懐中電灯のライトに反射テープ４が光って履物Ａを速やかに探すこともできる。
なお、図４に示す部品を組み込んだベース２０をアッパー３の裏に位置させるために、アッパー３に設けた開口部３０に切り込み３２が入れられており（図７参照）、ベース２０をアッパー３とベース裏地１１に位置させ（図８参照）、予め塗布していた接着剤により、ベース２０と開口縁部３１を、クッション部材３３と裏地３２を、それぞれ接着し、その後、この切り込み３２を塞ぐように縫製する（図９参照）。
【００１２】
上述した履物Ａによれば、ブザー６を取り付けるベース２０を、アッパー３に設けられた開口縁部３１とアッパー３の裏に設けられた裏地３２との間に位置させたため、履物Ａにブザー６を取り付けることに伴う履物Ａのアッパー３から突出する部位の量を減少させて、見栄えを良好にすると共に、該突出する部位への衝突を防いで、ブザー６への衝撃による損傷を防ぐことができる。なお、ベース２０は、開口縁部３１より、平面視大きくなっているため、ベース２０が履物Ａより離脱するのをより防ぐことができる。
【００１３】
底１は、例えば、中敷き２に比べ硬く、中敷き２は、厚みが、約10mmのウレタンで形成されている。また、アッパー３の履き口の近傍には、舌部３ａ、３ｂが設けられ、舌部３ａの上に位置するバンド３ｃの裏面に設けた面状ファスナー３ｄを舌部３ｂの上に設けた面状ファスナー３ｅに係止するようになっている。３ｆは指を掛ける指掛け部で、指掛け部３ｆは、バンド３ｃの表面に取り付けられている。
【００１４】
なお、１ａは、底１のかかと部分の履き側の面に設けた凹所で、この凹所１ａにはブザー制御回路７及びブザー制御回路７の電源部である電池８が収納され、ブザー制御回路７、電池８及びブザー６は、リード線９、１０、１１、１２、スイッチ５を介して電気的に接続されている。凹所１ａの開口部は、着脱自在な蓋１ｂで覆われ、蓋１ｂは中敷き２で覆われている。
このように凹所１ａにブザー制御回路７及びブザー制御回路７の電源部である電池８を収納するため、場所を取らずに設置でき、しかも、凹所１ａの開口部を蓋１ｂで覆うため、凹所１ａ内に収納したブザー制御回路７及びブザー制御回路７の電源部である電池８等の部位の保護を図ることができ、更に、電池８を交換したい場合、中敷き２を取り外した後、蓋１ｂを開いて、電池８を容易に交換することができる。凹所１ａの周囲は、プラスチック等の部材で囲まれて形成されている。
【００１５】
なお、上述した実施例は履物であるが、本考案にあっては、これに限らず、図１１及び図１２に示すランドセルＡ’、バッグＡ”等の物品を収納する物品収納体Ａ’、Ａ”にも同様に適用することができる。
即ち、図１１乃至図１４において、上述した実施例と同一部分に同一符号を付してその説明を省略する。物品収納体Ａ’（又はＡ”）は、ブザー６と、このブザー６の駆動電源である電池（電池は、図１３及び図１４において、図示していないが、図３記載の電池８と同じものであり、ブザー制御回路７と共に、内部収納体１００に収納されている。）と、オン、オフするスイッチ５と、このスイッチ５がオンしたときにブザー６の音を発するように制御するブザー制御回路（ブザー制御回路は、図１３及び図１４において、図示していないが、図３記載のブザー制御回路７と同じものであり、電池８と共に、内部収納体１００に収納されている。）とを備えている。
２０は、ブザー６を取り付けるベースで、このベース２０は、物品収納体Ａ’（又はＡ”）の本体Ａ1 ’（又はＡ1”）の外表面に設けられた開口縁部３１と物品収納体Ａ’（又はＡ”）の本体Ａ1 ’（又はＡ1”）の裏に設けられた裏地３２との間に位置している。    ３４は、ブザー６を覆い、外方に臨むように設けられたカバーで、カバー３４は、ベース２０に取り付けられている。なお、取り付けは、上述の実施例の図４記載と同様、例えば、ベース２０に設けられた穴２０ａにカバー３４の突部３４ｂを嵌合して行う。３３は、上述の実施例と同様なクッション部材である。
【００１６】
従って、この物品収納体Ａ’（又はＡ”）によれば、ブザー６を取り付けるベース２０を、物品収納体Ａ’（又はＡ”）の本体Ａ1 ’（又はＡ1”）の外表面に設けられた開口縁部３１と物品収納体Ａ’（又はＡ”）の本体Ａ1 ’（又はＡ1”）の裏に設けられた裏地３２との間に位置させたため、物品収納体Ａ’（又はＡ”）にブザー６を取り付けることに伴う物品収納体Ａ’（又はＡ”）の本体Ａ1 ’（又はＡ1”）の外表面から突出する部位の量を減少させて、見栄えを良好にすると共に、該突出する部位への衝突をカバー３４により防いで、ブザー６への衝撃による損傷を防ぐことができる。
【００１７】
また、１００は、図３記載のブザー制御回路７及びブザー制御回路７の電源部である電池８を収納したブザー収納体で、ブザー収納体１００は、例えば、直方体形状で、図示しない開閉自在な蓋を有している。１０１はブザー収納体を収納する内部収納体で、内部収納体１０１は、物品収納体Ａ’（又はＡ”）の本体Ａ1 ’（又はＡ1”）の内部に設けられている。なお、ブザー制御回路７、電池８及びブザー６は、図３に記載と同様、リード線８、９、１１、１２、スイッチ５を介して接続されている。１０２は内部収納体１００の開口部で、内部収納体１００の開口部１０２は、裏地３２に着脱自在な蓋１０１ａで覆われている。蓋１０１ａは、例えば、内部収納体１０１の部材を延伸したものであり、蓋１０１ａと裏地３２とは、例えば、蓋１０１ａに設けた面状ファスナーＸと裏地３２に設けた面状ファスナーＹにより係脱を行うようにしている。
従って、ブザー制御回路７及びブザー制御回路７の電源部である電池８は、ブザー収納体１００及び内部収納体１０１により保護され、電池８を交換したい場合、蓋１０１ａを開いた後、ブザー収納体１００にある電池８を容易に交換することができる。
【図面の簡単な説明】
【００１８】
【図１】図１は、本考案の一実施例である履物の概略的斜視図である。
【図２】図２は、図１の２ー２線による概略的断面図である。
【図３】図３は、図２のブザーを動作させる概略的制御図である。
【図４】図４は、図２のブザーを分解して示す概略的分解斜視図である。
【図５】図５は、図２のブザーのオフ状態の概略的図で、（ａ）は概略的側面図で、（ｂ）は概略的断面図である。
【図６】図６は、図２のブザーのオン状態の概略的図で、（ａ）は概略的側面図で、（ｂ）は概略的断面図である。
【図７】図７乃至図９は、ブザーを履物に取り付ける状態をそれぞれ示している概略的図で、図７は、ブザーを履物に取り付ける前の状態で、アッパーに開口部が設けられた状態を示している。
【図８】図８は、ブザーを履物に取り付ける前の状態で、舌部の上に設けた面状ファスナーをめくり、開口部に切り込みが入れられている状態を示している。
【図９】図９は、ブザーを履物に取り付けた状態で、開口部に入れられた切り込みを縫製した状態を示している。
【図１０】図１０は、図９記載の履物のめくられた面状ファスナーを縫製された切り込みがかくれるように元に戻した状態を示している。
【図１１】図１１は、本考案の一実施例である物品収納体の概略的斜視図である。
【図１２】図１２は、図１１と異なる他の実施例の物品収納体の概略的斜視図である。
【図１３】図１３は、図１１又は図１２の要部の概略的断面図である。
【図１４】図１４は、図１３記載の内部収納体の開口部が閉じられている状態を示す概略的断面図である。
【符号の説明】
【００１９】
Ａ’  …………物品収納体
Ａ”  …………物品収納体
５    …………スイッチ
６    …………ブザー
【図１】
0003119112.tif 000003
【図２】
0003119112.tif 000004
【図３】
0003119112.tif 000005
【図４】
0003119112.tif 000006
【図５】
0003119112.tif 000007
【図６】
0003119112.tif 000008
【図７】
0003119112.tif 000009
【図８】
0003119112.tif 000010
【図９】
0003119112.tif 000011
【図１０】
0003119112.tif 000012
【図１１】
0003119112.tif 000013
【図１２】
0003119112.tif 000014
【図１３】
0003119112.tif 000015
【図１４】
0003119112.tif 000016